(57)【要約】      （修正有）【課題】円筒状の操作ノブを備えたダイヤル式のコントロール操作装置において、コントロールケーブルの曲げ応力をなくし、コントロールケーブルの耐久性を高めると共に摺動抵抗を減少させる。【解決手段】円筒状に形成した操作ノブ５１と、前記操作ノブ５１に一体的に設けた連動ギア５４と、当該連動ギア５４に連動する円形回転体５７と、この円形回転体５７の支軸に軸支し、当該円形回転体５７の回転にしたがって公転させる遊星ギア５８と、この遊星ギア５８を自転させて移動方向を導く内接ギア５９ｄとを備えると共に、前記遊星ギア５８のピッチ円上には前記コントロールケーブルを連結可能とした連結部を設けると共に、前記遊星ギア５８と前記内接ギアとのギア比を１：２に設定し、前記操作ノブ５１の回動操作にしたがう駆動力をコントロールケーブルに伝え外部装置を動作制御する。【選択図】図３
2010108356.tif 000002
【特許請求の範囲】
【請求項１】
円筒状に形成した操作ノブと、
前記操作ノブに連動して回動し、当該操作ノブの駆動力を伝達する太陽ギアと、
前記太陽ギアに連結させた遊星ギアと、
前記遊星ギアを前記太陽ギアと協同して移動方向に導く内接ギアと、
前記遊星ギアに連結して外部装置を動作させるコントロールケーブルとを備え、
さらに、前記遊星ギアのピッチ円上には前記コントロールケーブルを連結可能とした連結部を設けると共に、前記遊星ギアと前記内接ギアとのギア比を１：２に設定し、
前記操作ノブの回動操作にしたがう駆動力を、前記した太陽ギア、遊星ギア、コントロールケーブルを介して外部装置に伝達し、外部装置を動作制御する構成としたことを特徴とするダイヤル式コントロール操作装置。
【請求項２】
円筒状に形成した操作ノブと、
前記操作ノブに連動して回動し、当該操作ノブの駆動力を伝達する円形回転部材と、
前記円形回転部材の回転中心から離れた偏心位置に設けた支軸に回転可能に軸支した遊星ギアと、
前記遊星ギアを前記円形回転部材と協同して移動方向に導く内接ギアと、
前記遊星ギアに連結して外部装置を動作させるコントロールケーブルとを備え、
さらに、前記遊星ギアのピッチ円上には前記コントロールケーブルを連結可能とした連結部を設けると共に、前記遊星ギアと前記内接ギアとのギア比を１：２に設定し、
前記操作ノブの回動操作にしたがう駆動力を、前記した円形回転部材、遊星ギア、コントロールケーブルを介して外部装置に伝達し、外部装置を動作制御する構成としたことを特徴とするダイヤル式コントロール操作装置。
【請求項３】
請求項１又は２に記載したコントロール操作装置において、
前記操作ノブの円筒状内には、前記コントロールケーブルによる動作制御とは別の動作制御を行う操作ノブを配設したことを特徴とするダイヤル式コントロール操作装置。
【請求項４】
請求項１又は２に記載したコントロール操作装置において、
前記操作ノブを回動可能に装着するベース部材と、
前記連結部に連結するインナーケーブルと、当該インナーケーブルを摺動自在に内装させたアウターケーブルを有するコントロールケーブルとを備え、
前記ベース部材には、前記アウターケーブルの一端部を固着するクランプ部を配設し、
さらに、前記クランプ部は、前記操作ノブの回動範囲の両端位置に対応する前記連結部の移動軌跡の両端部を結んだ延長上に配設することを特徴とするダイヤル式コントロール操作装置。
【請求項５】
請求項１に記載したコントロール操作装置において、
前記操作ノブを回動可能に装着するベース部材と、
円筒状の前記操作ノブの外周部に設けたかさ歯車からなる連動ギアと、
平歯車で形成し、前記ベース部材に旋回可能に配設した遊星ギアと、
前記連動ギアに連結させるかさ歯車部と前記遊星ギアに連結する平歯車部とを設けて前記ベース部材に回転可能に軸支した太陽ギアとを備えたことを特徴とするダイヤル式コントロール操作装置。
【請求項６】
請求項２に記載したコントロール操作装置において、
前記操作ノブを回動可能に装着するベース部材と、
円筒状の前記操作ノブの外周部に設けたかさ歯車からなる連動ギアと、
前記連動ギアに連結するかさ歯車を設け、前記ベース部材に回転可能に軸支した円形回転部材と、
平歯車で形成し、前記円形回転部材の偏心位置に設けた支軸に回転可能に軸支し、前記円形回転部材の回転に応じて周方向に移動させる遊星ギアと、
前記遊星ギアと連結させる平歯車として形成し、前記遊星ギアを前記円形回転部材の回動に応じて前記支軸を中心に回転させる内接ギアとを備えたことを特徴とするダイヤル式コントロール操作装置。
【請求項７】
請求項１に記載したコントロール操作装置において、
前記操作ノブを回動可能に装着するベース部材と、
前記内接ギアを設けたギアケースとを設け、
前記ギアケース内に前記太陽ギアと遊星ギアを配設し、当該ギアケースを前記ベース部材に取り付ける構成としたことを特徴とするダイヤル式コントロール操作装置。
【請求項８】
請求項２に記載したコントロール操作装置において、
前記操作ノブを回動可能に装着するベース部材と、
前記内接ギアを設けたギアケースとを設け、
前記ギアケース内に前記円形回転部材と遊星ギアを配設し、当該ギアケースを前記ベース部材に取り付ける構成としたことを特徴とするダイヤル式コントロール操作装置。
【請求項９】
請求項７又は８に記載したコントロール操作装置において、
前記ギアケースには、インナーケーブルを摺動自在としたコントロールケーブルのアウターケーブルの一端部を固着するクランプ部を設け、
さらに、前記ベース部材には、前記ギアケースの取付角度に対応する複数の取付部を設け、
前記コントロールケーブルの引き出し方向により決まる前記クランプ部の配向にしたがって、前記取付部を選択し、前記ギアケースの取り付けを可能としたことを特徴とするダイヤル式コントロール操作装置。
【発明の詳細な説明】
【技術分野】
【０００１】
本発明は、操作ノブの回動操作にしたがう駆動力をコントロールケーブルを介して外部装置に伝達し、外部装置を動作制御するダイヤル式コントロール操作装置に関する。
【背景技術】
【０００２】
ダイヤル式のコントロール制御装置としては様々なものがあるが、自動車などに装備される空調用コントロール操作装置について説明する。
図１６及び図１７は、第１従来例として示した車輌空調用コントロール操作装置の正面図、図１７は同コントロール操作装置の平面図である。
【０００３】
図示する如く、風向調節用の操作ノブ１１、風量調節用の操作ノブ１２、温度調整用の操作ノブ１３がダイヤル式の操作ノブとして操作パネル１０に回動可能に設けられ、また、リアウインドの熱線に通電させるリアデフスイッチ、エアコンモードを切り換えるエアコンスイッチ、内気循環と外気導入を切り換える内外気切換スイッチの各スイッチボタン１４、１５、１６が設けられている。
【０００４】
上記した操作ノブ１１の回動操作力は、ギアシャフト１７を介してギアレバー１８に伝えられる。
すなわち、ギアシャフト１７のかさ歯車部１７ａがギアレバー１８のギア部１８ａに噛合しており、操作ノブ１１の回動操作にしたがってギアレバー１８が支軸部１９を中心に旋回し、コントロールケーブル２０を進退させる。
なお、コントロールケーブル２０は、そのアウターケーブル２０ａの一端部がクランプ部２１に固着されており、インナーケーブル２０ｂがギアレバー１８の旋回動に応じて押し出され、また、引き戻され、空調ユニットの風向調節が制御される。
【０００５】
上記した操作ノブ１３の回動操作力は、上記同様にギアシャフト２２を介してギアレバー２３に伝えられ、コントロールケーブル２４を進退させる。
したがって、コントロールケーブル２４のインナーケーブル２４ｂが押し出され、また、引き戻され、空調ユニットの温度調節が行われる。
なお、コントロールケーブル２４のアウターケーブル２４ａの一端部がクランプ部２５に固着されている。
【０００６】
一方、上記したコントロール操作装置の場合、操作ノブの前面側に突出した凸状のノブ部を指先で摘んで操作するため、操作力が伝達しにくく、操作性が必ずしも好ましくない。
このことから、操作ノブを円筒状に形成したコントロール操作装置が提案されている。
【０００７】
図１８、図１９は、本特許出願人によって既に特許出願（特願２００７−２５３０６０）されている円筒状の操作ノブを備えたコントロール操作装置の第２の従来例を示す。
この第２の従来例は、円筒状に形成された操作ノブ３１が、ケース円筒部３２ａに固定された固定円筒体３３の外周に回動操作可能に装備され、また、この操作ノブ３１の後部には、かさ歯車を有する連動ギア３４が固着されており、連動ギア３４が操作ノブ３１と一体的に回転する構成となっている。
【０００８】
さらに、上側に平歯車、下側にかさ歯車を一体形成した太陽ギア３５が、ケース３２に形成した支軸３２ｂに回転可能に設けられ、そのかさ歯車が連動ギア３４に噛合している。
また、上記の太陽ギア３５の平歯車には、遊星ギア３６が噛合している。
遊星ギア３６は、図１９より分かるように、太陽ギア３５に連動され、弧状の内接ギア３７にそって太陽ギア３５の回りを移動する。
なお、ケース３２には、上記の内接ギア３７と、遊星ギア３６の軸部３６ａを通す案内軸孔３２ｃとが設けられている。
【０００９】
一方、遊星ギア３６の偏心部に設けられた連結ピン３８には、コントロールケーブル３９のインナーケーブル３９ｂが回動可能にして転結されている。
また、コントロールケーブル３９のアウターケーブル３９ａは、後ケース４０に設けられたクランプ部材４１に固着されている
【００１０】
このコントロール操作装置は、操作ノブ３１を回動操作すると、太陽ギア３５が連動ギア３４に連動されて回転することから、遊星ギア３６が太陽ギア３５によって駆動され、内接ギア３７と案内軸孔３２ｃに案内されて移動する。
すなわち、図２０に示すように、遊星ギア３６が自転しながら太陽ギア３５の回りを公転し、コントロールケーブル３９のインナーケーブル３９ｂを押し出し、また、引き戻し空調ユニットを制御する。
【００１１】
上記した第２の従来例のコントロール操作装置は、円筒状の操作ノブ３１を風向調節用として、または、温度調節用として利用することができる。
また、円筒状の操作ノブ３１の内部には、凸状のノブ部を指先で操作して風量調節する操作ノブ４２が設けられている。
【００１２】
【特許文献１】特開２００３−２６７０３４号公報
【特許文献２】特願２００７−２５３０６０号特許出願
【発明の開示】
【発明が解決しようとする課題】
【００１３】
円筒状の操作ノブを有するコントロール操作装置は、遊星ギア３６が自転しながら太陽ギア３５の回り公転するから、その連結ピン３８が遊星ギア３６の自転と公転にしたがって変位するため、コントロールケーブル３９を直線的に移動駆動することができない。
この結果、インナーケーブル３９ｂに曲げ応力がかかる他、アウターケーブル３９ａに対する摺動抵抗が増すなどの問題が生ずる。
このことから、コントロールケーブル２９の耐久性が低下し、また、操作ノブ３１の操作性も必ずしも好ましくない。
【００１４】
図２０を参照して今少し具体的にのべれば、上記のコントロール操作装置の場合、操作ノブ３１が回動範囲の一方側また他方側に回動操作されたとき、遊星ギア３６が３６１、３６３の位置に移動し、連結ピン３８が図２０に示す３８ａ、３８ｃの位置となることから、これら連結ピン位置３８ａと３８ｃとを結ぶ直線４３上にクランプ部４１が設けられている。
このことから、連結ピン３８は、操作ノブ３１の回動操作にしたがい常に直線４３上を変位することが好ましいが、実際には、遊星ギア３６の移動過程において、連結ピン３８が図示する位置３８ｂのように、直線４３上からずれるために、上記のような問題が生じることになる。
本発明は上記した問題を解決したダイヤル式コントロール操作装置を提案することを目的する。
【課題を解決するための手段】
【００１５】
上記した目的を達成するため、本発明では、第１の発明として、円筒状に形成した操作ノブと、前記操作ノブに連動して回動し、当該操作ノブの駆動力を伝達する太陽ギアと、前記太陽ギアに連結させた遊星ギアと、前記遊星ギアを前記太陽ギアと協同して移動方向に導く内接ギアと、前記遊星ギアに連結して外部装置を動作させるコントロールケーブルとを備え、さらに、前記遊星ギアのピッチ円上には前記コントロールケーブルを連結可能とした連結部を設けると共に、前記遊星ギアと前記内接ギアとのギア比を１：２に設定し、前記操作ノブの回動操作にしたがう駆動力を、前記した太陽ギア、遊星ギア、コントロールケーブルを介して外部装置に伝達し、外部装置を動作制御する構成としたことを特徴とするダイヤル式コントロール操作装置を提案する。
【００１６】
第２の発明としては、円筒状に形成した操作ノブと、前記操作ノブに連動して回動し、当該操作ノブの駆動力を伝達する円形回転部材と、前記円形回転部材の回転中心から離れた偏心位置に設けた支軸に回転可能に軸支した遊星ギアと、前記遊星ギアを前記円形回転部材と協同して移動方向に導く内接ギアと、前記遊星ギアに連結して外部装置を動作させるコントロールケーブルとを備え、さらに、前記遊星ギアのピッチ円上には前記コントロールケーブルを連結可能とした連結部を設けると共に、前記遊星ギアと前記内接ギアとのギア比を１：２に設定し、前記操作ノブの回動操作にしたがう駆動力を、前記した円形回転部材、遊星ギア、コントロールケーブルを介して外部装置に伝達し、外部装置を動作制御する構成としたことを特徴とするダイヤル式コントロール操作装置を提案する。
【００１７】
第３の発明としては、上記した第１又は第２の発明のコントロール操作装置において、前記操作ノブの円筒状内には、前記コントロールケーブルによる動作制御とは別の動作制御を行う操作ノブを配設したことを特徴とするダイヤル式コントロール操作装置を提案する。
【００１８】
第４の発明としては、上記した第１又は第２の発明のコントロール操作装置において、前記操作ノブを回動可能に装着するベース部材と、前記連結部に連結するインナーケーブルと、当該インナーケーブルを摺動自在に内装させたアウターケーブルを有すコントロールケーブルとを備え、前記ベース部材には、前記アウターケーブルの一端部を固着するクランプ部を配設し、さらに、前記クランプ部は、前記操作ノブの回動範囲の両端位置に対応する前記連結部の移動軌跡の両端部を結んだ延長上に配設することを特徴とするダイヤル式コントロール操作装置を提案する。
【００１９】
第５の発明としては、上記した第１の発明のコントロール操作装置において、前記操作ノブを回動可能に装着するベース部材と、円筒状の前記操作ノブの外周部に設けたかさ歯車からなる連動ギアと、平歯車で形成し、前記ベース部材に旋回可能に配設した遊星ギアと、前記連動ギアに連結させるかさ歯車部と前記遊星ギアに連結する平歯車部とを設けて前記ベース部材に回転可能に軸支した太陽ギアとを備えたことを特徴とするダイヤル式コントロール操作装置を提案する。
【００２０】
第６の発明としては、上記した第２の発明のコントロール操作装置において、前記操作ノブを回動可能に装着するベース部材と、円筒状の前記操作ノブの外周部に設けたかさ歯車からなる連動ギアと、前記連動ギアに連結するかさ歯車を設け、前記ベース部材に回転可能に軸支した円形回転部材と、平歯車で形成し、前記円形回転部材の偏心位置に設けた支軸に回転可能に軸支し、前記円形回転部材の回転に応じて周方向に移動させる遊星ギアと、前記遊星ギアと連結させる平歯車として形成し、前記遊星ギアを前記円形回転部材の回動に応じて前記支軸を中心に回転させる内接ギアとを備えたことを特徴とするダイヤル式コントロール操作装置を提案する。
【００２１】
第７の発明としては、上記した第１の発明のコントロール操作装置において、前記操作ノブを回動可能に装着するベース部材と、前記内接ギアを設けたギアケースとを設け、前記ギアケース内に前記太陽ギアと遊星ギアを配設し、当該ギアケースを前記ベース部材に取り付ける構成としたことを特徴とするダイヤル式コントロール操作装置を提案する。
【００２２】
第８の発明としては、上記した第２の発明のコントロール操作装置において、前記操作ノブを回動可能に装着するベース部材と、前記内接ギアを設けたギアケースとを設け、前記ギアケース内に前記円形回転部材と遊星ギアを配設し、当該ギアケースを前記ベース部材に取り付ける構成としたことを特徴とするダイヤル式コントロール操作装置を提案する。
【００２３】
第９の発明としては、上記した第７又は第８の発明のコントロール操作装置において、前記ギアケースには、インナーケーブルを摺動自在としたコントロールケーブルのアウターケーブルの一端部を固着するクランプ部を設け、さらに、前記ベース部材には、前記ギアケースの取付角度に対応する複数の取付部を設け、前記コントロールケーブルの引き出し方向により決まる前記クランプ部の配向にしたがって、前記取付部を選択し、前記ギアケースの取り付けを可能としたことを特徴とするダイヤル式コントロール操作装置を提案する。
【発明の効果】
【００２４】
第１又は第２の発明のコントロール操作装置は、遊星ギアのピッチ円上には前記コントロールケーブルを連結可能とした連結部を設けると共に、遊星ギアと内接ギアとのギア比を１：２に設定したことから、ホワイト平行運動機構を達成することができる。
このことから、操作ノブの回動範囲の全域に対応する遊星ギアの連結部が直線上を変位するようになり、当該連結部とクランプ部材との間のインナーケーブルに曲げ応力が作用しない。
この結果、コントロールケーブルの機械的な強度を高め、さらに、アウターケーブルに対するインナーケーブルの摺動抵抗を減少させることができ、操作ノブ操作の軽快なコントロール操作装置となる。
【００２５】
第３の発明のコントロール操作装置は、操作ノブを二重構造として、コンパクト化したコントロール操作装置を提供することが特徴となっている。
【００２６】
第４の発明のコントロール操作装置は、操作ノブの回動範囲の両端に対応する遊星ギアの連結部位置を結ぶ直線の延長上にクランプ部を設けているので、上記したホワイト平行運動機構と相俟ってコントロールケーブルの曲げ応力と摺動抵抗とを一層減少させることができる。
【００２７】
第５の発明のコントロール操作装置は、第１の発明において、操作ノブにはかさ歯車からなる連動ギアを設けると共に、太陽ギアにはかさ歯車部と平歯車部とを設けたことに特徴がある。
すなわち、太陽ギアには、連動ギアに連結させるかさ歯車部と遊星ギアに連結する平歯車部を設けることにより、遊星ギアを移動させる太陽ギアと内接ギアの構成が容易となる。
【００２８】
第６の発明のコントロール操作装置は、第２の発明において、操作ノブにはかさ歯車からなる連動ギアを設けるとともに、この連動ギアに連結した円形回転部材の偏心位置に遊星ギアを軸支させた構成としてあり、第２の発明と同様の効果を得ることができる。
【００２９】
第７又は第８の発明のコントロール操作装置は、第１又は第２の発明において、内接ギアを形成してベース部材に取り付けるようにしたギアケースを設け、このギアケース内に太陽ギアと遊星ギアを、又は円形回転部材と遊星ギアを配設させる構成としたことに特徴がある。
【００３０】
第９の発明のコントロール操作装置によれば、コントロールケーブルの引き出し方向にしたがって、ギアケースの取付角度を変えてギアケースをベース部材に取り付けることができるので、コントロールケーブルの配向方向を変えることができる。
【発明を実施するための最良の形態】
【００３１】
図１は本発明の第１実施形態である自動車の空調用コントロール操作装置を示す正面図、図２は上記コントロール操作装置の平面図、図３は図１上のＡ−Ａ線断面図である。
これらの図面に示すように、本実施形態のコントロール操作装置は、温度調節用として円筒状の操作ノブ５１を備え、また、この操作ノブ５１の内部に風量調節スイッチ５２を制御する操作ノブ５３が設けてある。
【００３２】
円筒状の操作ノブ５１は、ケース円筒部５４ａに固定した固定円筒体５５の外周に回動可能に設け、さらに、この操作ノブ５１の後部にはかさ歯車を有する連動ギア５６が一体的に設けてある。
そして、連動ギア５６が円形回転体５７のかさ歯車５７ａに噛合している。
円形回転体５７は、図３、図４より分かるように、上面側が皿状に形成した円形凹部５７ｂとしてあり、また、その円形凹部５７ｂの底面には、中心から離れた偏心位置に遊星ギア５８を軸着する支軸５７ｃが設けてある。
なお、図４は操作ノブ５１、連動ギア５６、円形回転体５７を示す簡略的な平面図である。
【００３３】
さらに、上記の円形回転体５７は、周囲下面部にかさ歯車５７ａを有し、さらに、下面には回転体の中心から所定の距離を半径とした円形の回転軸穴５７ｄが設けてある。
このように構成した円形回転体５７は、回転軸穴５７ｄに嵌合させた円形のケース凸部５４ｂを回転軸として回転する。
なお、円形回転体５７が回転するとき、その円形凹部５７ｂの穴縁に設けた突出部５７ｅの上方から円形凹部内に嵌入させたギアケース５９の短筒部５９ａによって支えられる。
【００３４】
遊星ギア５８は、図３、図５、図６に示すように、上記した円形回転体５７の円形凹部５７ｂの深さ幅に合わせた肉厚ギアで、中央部に軸孔５８ａを設け、さらに、周囲部にギア（平ギア）５８ｂを設けた構成のもので、特に、周囲の一部には、肉薄に張出させた舌片部５８ｃが設けてある。
そして、ギア５８ｂのピッチ円６０が通る舌片部５８ｃの一部位置に、コントロールケーブル６１（インナーケーブル６１ｂ）を連結する連結部（連結孔）５８ｄが設けてある。
【００３５】
この遊星ギア５８は、軸孔５８ａ内に支軸５７ｃを突入させるようにして円形回転体５７の円形凹部５７ｂ内に組入れる。
このように遊星ギア５８を組入れた円形回転体５７は、その回転軸穴５７ｄをケース凸部５４ｂに嵌め合わせ、また、その上方に円形のギアケース５９を被せて取り付ける。
【００３６】
ギアケース５９は、図２に示した如く、２つの取付片５９ｂ、５９ｃが所定の間隔をおいて設けてあり、これらの取付片５９ｂ、５９ｃをケース（ベース部材）５４にネジ止めして取り付ける。
なお、ケース５４には、取付片５９ｂをネジ止めする３つのネジ取付部５４ｃと、取付片５９ｃをネジ止めする３つのネジ取付部５４ｄが設けてあり、ネジ取付部の位置を変えてギアケース５９をネジ止めすることで、ギアケース５９の取付角度を変えることができる。
【００３７】
ギアケース５９は、短筒部５９ａの内周面に内接ギア５９ｄが設けてあり、遊星ギア５８のギア５８ｂをその内接ギア５９ｂに噛合させてある。
すなわち、遊星ギア５８の移動方向が内接ギア５９ｄによって導かれるようになっている。
そして、特に、遊星ギア５８とギア５８ｂと内接ギア５９ｂのギア比を１：２に定めてある。
【００３８】
また、このギアケース５９には、図２、図３に示す通り、遊星ギア５８の連結部５８ｄに連結したインナーケーブル６１ｂをギアケース外に引き出すための窓孔５９ｅが形成してある。
さらに、このギアケース５９には、コントロールケーブル６１のアウターケーブル６１ａに一端部を固着させたクランプ部６２が設けてあり、そのアウターケーブル６１ａにインナーケーブル６１ｂが摺動可能に内装されている。
【００３９】
次に、上記したコントロール操作装置の動作について図７を参照しながら説明する。
なお、図７は図１上のＢ−Ｂ線断面図である。
操作ノブ５１を図示矢印（時計方向）６３ａ方向に回動操作することによって、連動ギア５６を介して円形回転体５７が反時計方向に回転する。
したがって、支軸５７ｃが円形回転体５７の回転にしたがって図示矢印６３ｂの方向に旋回することから、遊星ギア５８が公転力を受けて反時計方向に移動する。
【００４０】
一方、遊星ギア５８は、内接ギア５９ｄに噛み合いながら移動するために、図示矢印６３ｃ方向に自転しつつ移動することから、遊星ギア５８が実線位置５８１から点線位置５８２に移動し、連結部５８ｄが実線位置５８ｄ１から点線位置５８ｄ２に変位する。
この結果、インナーケーブル６１ｂが図示矢印６３ｄとして示すように引き戻され、空調ユニットが動作制御される。
【００４１】
また、操作ノブ５１を図示矢印６３ａとは反対方向に回動操作したときは、円形回転体５７の回転と遊星ギア５８の移動とが上記とは逆方向となるので、遊星ギア５８が点線位置５８３に移動すると、連結部５８ｄが点線位置５８ｄ３に変位する。
この結果、インナーケーブル６１ｂが図示矢印６３ｄとは反対方向に押し出され、空調ユニットが動作制御される。
【００４２】
遊星ギア５８の連結部５８ｄが、上記したように、位置５８ｄ２、５８ｄ３に変位する場合は、操作ノブ５１を最大限に右回動又は左回動したときで、操作ノブ５１をこのように最大限の回動範囲以内で回動操作すれば、遊星ギア５８が移動位置５８１と５８３の間に移動するから、連結部５８ｄも位置５８ｄ２、５８ｄ３の間に変位する。
【００４３】
そして、特に、本実施形態では、遊星ギア５８のピッチ円６０上に設けた連結部５８ｄにインナーケーブル６１ｂを連結し、さらに、遊星ギアのギア５８ｂと内接ギア５９ｄとのギア比を１：２に設定してあることから、遊星ギア５８の連結部５８ｄが操作ノブ５１の回動操作位置に関係なく常に位置５８ｄ１と５８ｄ３を結ぶ直線上の変位位置となる。
また、本実施形態では、連結部５８ｄの位置５８ｄ２と５８ｄ３を結ぶ直線の延長上にクランプ部６２を設けている。
【００４４】
この結果、インナーケーブル６１ｂが直線運動し、インナーケーブル６１ｂには曲げ応力が作用しないから、コントロールケーブル６１の機械的な強度を高め、その上、アウターケーブル６１ａに対するインナーケーブル６１ｂの摺動抵抗を減少させることができ、このことから、操作ノブ５１の操作の軽快なコントロール操作装置となる。
【００４５】
図８は、上記した第１実施形態の応用例を示した図７同様の断面図である。
この応用例は、上記した実施形態に比べ、コントロールケーブル６１の押し出し方向と引き戻し方向とを反対とするため、遊星ギア５８と内接ギア５９ｄとの噛合位置を変えた構成としてあり、その他は上記実施形態と同構成である。
すなわち、操作ノブ５１を図示矢印６３ａ方向に可動操作すると、円形回転体
５７の支軸５７ｃが図示矢印６３ｅ方向に、遊星ギア５８が図示矢印６３ｆ方向に移動し、インナーケーブル６１ｂが図示矢印６３ｇ方向に押し出される。
【００４６】
図９は、上記した実施形態の他の応用例を示した部分断面図である。
この応用例は、ケース５４の下側からコントロールケーブル６１を引き出す構成としてある。
すなわち、円形回転体５７は、下面側に円形凹部５７ｂを設け、その凹部底に設けた支軸５７ｃに遊星ギア５８を軸支させ、また、ケース５４には、上記円形凹部５７ｂに嵌入して円形回転体５７の回転軸となる短筒部５４ｅを形成し、さらに、遊星ギア５８を噛合させる内接ギア５４ｆが短筒部５４ｅの内周面に形成してある。
なお、遊星ギア５８の連結部５８ｄに連結したインナーケーブル６１ｂは、ケース５４に形成した窓孔５４ｇから引き出すようにしてある。
その他の構成は上記した第１実施形態と同じ構成である。
【００４７】
図１０は、第２実施形態のコントロール操作装置を示す図３同様の断面図である。
この第２実施形態は、上記同様の円形回転体７１に円形凹部７１ａを形成し、この円形凹部７１ａの底面中央に太陽ギア７２を設け、この太陽ギア７２によって遊星ギア７３を駆動する構成としてある。
図１０、図１１に示すように、上記の太陽ギア７２は、円形回転体７１の直径に比べ充分に小さい直径のもので、これには遊星ギア７３の下段ギア７３ｂが噛合させてある。
【００４８】
遊星ギア７３は、図１２、図１３に示す如く、上段ギア７３ａと下段ギア７３ｂとを設けた２段ギアとして形成してあり、上段ギア７３ａの一部には舌片部７３ｃが設けてある。
そして、この舌片部７３ｃのピッチ円６０が通る一部に、上記同様の連結部（連結孔）７３ｄを設け、この連結孔７３ｄにインナーケーブル６１ｂが連結してある。
【００４９】
また、遊星ギア７３の上段ギア７３ａは、図１０に示す通り、円形のギアケース７４の内周面に形成した内接ギア７４ａに噛合させ、内接ギア７４ａによって遊星ギア７３の移動方向を導くようにしてある。
なお、インナーケーブル６１ｂは、ギアケース７４の窓孔７４ｂからケース外に引き出すようにしてある。
以上の構成以外は第１実施形態と同構成となっているが、本実施形態においても第１実施形態と同様に、遊星ギア７３の上段ギア７３ａと内接ギア７４ａのギア比を１：２に設定してある。
【００５０】
図１４は、上記した第２実施形態の動作を示した図７同様の断面図である。
図示するように、操作ノブ５１を図示矢印７５ａ方向に回動操作すると、太陽ギア７２が図示矢印７５ｂ方向に回動して遊星ギア７３を図示矢印７５ｃ方向に回動するため、遊星ギア７３が図示実線位置７３１から点線位置７３２側に移動する。
【００５１】
また、操作ノブ５１を図示矢印７５ａの反対に回動操作すれば、太陽ギア７２が逆回動するから、遊星ギア７３が点線位置７３３側に移動する。
このようにしてインナーケーブル６１ｂが図示矢印７５ｄ方向、または、その反対方向に移動され、空調ユニットが動作制御される。
【００５２】
図１５は、第２実施形態の応用例として示した図１４同様の断面図である。
この応用例は、遊星ギア７３と内接ギア６４ａとの噛合位置を変え、操作ノブ５１の回動方向に対し、インナーケーブル６１ｂの移動方向を反対にした構成としてある。
【産業上の利用可能性】
【００５３】
自動車に備える空調用コントロール操作装置などのようにダイヤル式の操作ノブを回動操作して外部装置を動作制御するコントロール操作装置に適用することができる。
【図面の簡単な説明】
【００５４】
【図１】第１実施形態として示したコントロール操作装置の正面図である。
【図２】第１実施形態として示したコントロール操作装置の平面図である
【図３】図１上のＡ−Ａ線断面図である。
【図４】第１実施形態として示したコントロール操作装置に備える操作ノブと円形回転体とを示した簡略図である。
【図５】第１実施形態として示したコントロール操作装置に備える遊星ギアの断面図である。
【図６】上記遊星ギアの底面図である。
【図７】第１実施形態として示したコントロール操作装置の動作を示した図１上のＢ−Ｂ線断面図である。
【図８】第１実施形態の応用例として示した図７同様の断面図である。
【図９】第１実施形態の他の応用例を示したコントロール操作装置の要部簡略図である。
【図１０】第２実施形態として示した図３同様の断面図である。
【図１１】第２実施形態のコントロール操作装置に備える操作ノブと円形回転体を示した簡略図である。
【図１２】第２実施形態のコントロール操作装置に備える遊星ギアの断面図である。
【図１３】第２実施形態の遊星ギアの底面図である。
【図１４】第２実施形態のコントロール操作装置の動作を示した図７同様の断面図である。
【図１５】第２実施形態の応用例として示した図１４同様の断面図である。
【図１６】第１の従来例として示したコントロール操作装置の正面図である。
【図１７】第１の従来例として示したコントロール操作装置の平面図である。
【図１８】第２の従来例として示したコントロール操作装置の断面図である。
【図１９】第２の従来例として示したコントロール操作装置の平面図である。
【図２０】第２の従来例として示したコントロール操作装置の動作説明図である。
【符号の説明】
【００５５】
５１  操作ノブ
５４  ケース
５６  連動ギア
５７  円形回転体
５７ａ  かさ歯車
５８  遊星ギア
５８ｄ  連結部  
５９  ギアケース
５９ｄ  内接ギア
６０  ピッチ円
６１  コントロールケーブル
６２  クランプ部
７１  円形回転体
７２  太陽ギア
７３  遊星ギア
７３ｄ  連結部
７４  ギアケース
７４ａ  内接ギア
【図１】
2010108356.tif 000003
【図２】
2010108356.tif 000004
【図３】
2010108356.tif 000005
【図４】
2010108356.tif 000006
【図５】
2010108356.tif 000007
【図６】
2010108356.tif 000008
【図７】
2010108356.tif 000009
【図８】
2010108356.tif 000010
【図９】
2010108356.tif 000011
【図１０】
2010108356.tif 000012
【図１１】
2010108356.tif 000013
【図１２】
2010108356.tif 000014
【図１３】
2010108356.tif 000015
【図１４】
2010108356.tif 000016
【図１５】
2010108356.tif 000017
【図１６】
2010108356.tif 000018
【図１７】
2010108356.tif 000019
【図１８】
2010108356.tif 000020
【図１９】
2010108356.tif 000021
【図２０】
2010108356.tif 000022